(57)【要約】【課題】外装材用下地の施工を能率良く行えるようにすると共に、壁下地との間に侵入した雨水等水液の排水を有効に行わせ、通気性も良好となるようにした外装パネルを提供すること。【解決手段】窯業系材料により所要厚みの長方形板状に一体形成されたパネル本体２からなるもので、このパネル本体２の裏面側には、壁下地との間に通気用空間部５を形成するための互いに連通する凹溝３が多数形成されていると共に、これらの凹溝３を除くパネル本体１裏面側部分によって胴縁部４が形成されている。【選択図】図１
2005256381.tif 000002
【特許請求の範囲】
【請求項１】
窯業系材料により所要厚みの長方形板状に一体形成されたパネル本体からなるもので、このパネル本体の裏面側には、壁下地との間に通気用空間部を形成するための互いに連通する凹溝が多数形成されていると共に、これらの凹溝を除くパネル本体裏面側部分によって胴縁部が形成されていることを特徴とする外装パネル。
【請求項２】
パネル本体の表面側には、その裏面側に形成されている凹溝の位置をその表面側に表示するためのマークが形成されていることを特徴とする請求項１に記載の外装パネル。
【請求項３】
パネル本体の表面側には多数のタイル張り用接着剤掛止溝が形成されていることを特徴とする請求項１又は２に記載の外装パネル。
【請求項４】
パネル本体の表面側に形成されているタイル張り用接着剤掛止溝は、その裏面側の凹溝と重なり合わない位置に形成されていることを特徴とする請求項１〜３の何れかに記載の外装パネル。
【請求項５】
パネル本体の両長辺側端部には、隣り合うパネル本体同士を接合する合じゃくり部が形成されていることを特徴とする請求項１〜４の何れかに記載の外装パネル。
【発明の詳細な説明】
【技術分野】
【０００１】
本発明は、建築物の外壁面に装着される外装パネルに関するものである。
【背景技術】
【０００２】
建築物の外壁材としては、一般に長方形板状のサイディングボードが使用されている。このサイディングボードは、図５に示すような建物躯体の壁下地材に取り付けられるようになっている。この図５は縦張りサイディング用の下地を示したもので、複数本の柱８とこれら柱８間に配設される間柱９とに対しそれらの室外側から構造用合板１０を当て付けて固定し、この構造用合板１０の室外側面に透湿防水シート１２を貼り付け、この透湿防水シート１２の上に、通常１８２０ｍｍの長さの帯板状の横胴縁１３を、図示のように上下に３００〜４００ｍｍ程度の間隔をおいて且つ互いの対向端部間に一定の隙間Ｓ（４５ｍｍ）を設けた状態に配置して構造用合板１０に対し釘打ちして固定することによって、縦張りサイディング用下地が形成される。しかして、図５の仮想線で示すように縦に配置されたサイディングボード１１が横胴縁１３に対し釘打ちして固定される。この図５において、１４は基礎を示す。
【０００３】
また、サイディングボードを横向きに配置して下地に取り付ける横張りサイディングボードについては、図示を省略するが、上記縦張りサイディング用下地と略々同様な下地に設けてある、柱の長さと略同じ長さを有して上下方向に連続して延びる帯板状の縦胴縁に、横向きに配置したサイディングボードを釘打ちして固定するようになっている。
【発明の開示】
【発明が解決しようとする課題】
【０００４】
外壁材として上記のようなサイディングボードを使用して建物の外壁を形成する際に、横胴縁１３を、構造用合板１０に貼着された透湿防水シート１２上の所定位置に位置決めすると共に、構造用合板１０に釘打ちしなければならないため、その位置決め及び釘打ち作業に非常な手間と時間を要し、縦張りサイディング用下地の施工能率が悪かった。横張りサイディング用下地についても同様であった。
【０００５】
本発明は、上記の課題に鑑み、壁下地の施工を能率良く行うことができるようにすると共に、壁下地との間に侵入した雨水等水液の排水を有効に行わせ、通気性も良好となるようにした外装パネルを提供することを目的とする。
【課題を解決するための手段】
【０００６】
上記課題を解決するための手段を、後述する実施形態の参照符号を付して説明すると、請求項１に係る発明の外装パネル１は、窯業系材料により所要厚みの長方形板状に一体形成されたパネル本体２からなるもので、このパネル本体２の裏面側には、壁下地との間に通気用空間部５を形成するための互いに連通する凹溝３が多数形成されていると共に、これらの凹溝３を除くパネル本体１裏面側部分によって胴縁部４が形成されていることを特徴とする。
【０００７】
請求項２は、請求項１に記載の外装パネルにおいて、パネル本体２の表面側には、その裏面側に形成されている凹溝３の位置をその表面側に表示するためのマークＭが形成されていることを特徴とする。
【０００８】
請求項３は、請求項１又は２に記載の外装パネルにおいて、パネル本体２の表面側には多数のタイル張り用接着剤掛止溝１８が形成されていることを特徴とする。
【０００９】
請求項４は、請求項１〜３の何れかに記載の外装パネルにおいて、パネル本体の表面側に形成されているタイル張り用接着剤掛止溝１８は、その裏面側の凹溝３と重なり合わない位置に形成されていることを特徴とする。
【００１０】
請求項５は、請求項１〜４の何れかに記載の外装パネルにおいて、パネル本体２の両長辺側端部には、隣り合うパネル本体２，２同士を接合する合じゃくり部６，７が形成されていることを特徴とする。
【発明の効果】
【００１１】
上記解決手段による発明の効果を、後述する実施形態の参照符号を付して説明すると、請求項１に係る発明の外装パネル１を使用することにより、外装パネル１の内側面であるパネル本体２の裏面側には、互いに連通する多数の凹溝３と、壁下地との間に多数の通気用空間部５が形成されるから、パネル本体２の裏面と壁下地との間に雨水等の水液が侵入しても、その水液は、これらの通気用空間部５に流れ込み、これらの通気用空間部５に沿って流下して、パネル本体２の下端面に臨む通気用空間部５の下端開口部５ｏから速やかに室外に排出される。また、これら通気用空間部５内への外気の流入及びこれら通気用空間部５からの空気の流出が容易となって、パネル本体２の裏面側における通気性が極めて良好となる。従って、建物外壁の劣化を防止して、その耐久性を高めることができる。
【００１２】
そして特に、この外装パネル１を使用すれば、従来のサイディングボード用下地を形成する場合のように多数の胴縁をいちいち取り付ける必要がなく、パネル本体２をそのまま外装パネル用の壁下地に釘打ちすればよいから、胴縁の位置決め作業及びその釘打ち作業の手間が省け、外装パネル用下地の施工能率が大幅に向上する。また、この外装パネル１は、パネル本体２の長辺が上下方向となるように縦向きにして張り付ける縦張り施工と、パネル本体２の長辺が水平方向となるように横向きにして張り付ける横張り施工の両方にそのまま適用できるから、極めて有用である。
【００１３】
請求項２によれば、パネル本体２の表面側には、その裏面側に形成されている凹溝３の位置を表面側に表示するマークＭが形成されているから、外装パネル１を下地に対し釘打ちする際に、このマークＭを避けた位置に釘１５を打ち込むことによって、正確な釘打ちを行うことができる。
【００１４】
請求項３によれば、パネル本体２の表面側には多数のタイル張り用接着剤掛止溝１８が形成されているから、パネル本体２の表面に接着剤によりタイルを張って使用する場合、塗布される接着剤が接着剤掛止溝１８に有効に引っ掛かり、タイルがパネル表面から剥離して脱落するのを防止できる。
【００１５】
請求項４によれば、パネル本体の表面側に形成されているタイル張り用接着剤掛止溝１８は、その裏面側の凹溝３と重なり合わない位置に形成されているから、パネル本体２の厚さを特に厚くする必要がなく、この接着剤掛止溝１８の形成されない場合と同じ厚さにすることができて、外装パネル１の重量増大とそのコスト高を抑えることができる。
【００１６】
請求項５によれば、隣り合う外装パネル１，１は、対向するパネル本体２，２の端部同士の合じゃくり部４，５を互いに係合させることによって簡単容易に接合させることができる。
【発明を実施するための最良の形態】
【００１７】
以下に本発明の好適な実施形態を図面に基づいて説明する。図１の(a) は本発明に係る外装パネル１を裏面側から見た正面図であり、(b) は(a) のＸ−Ｘ線断面図であり、(c)
は(a) のＹ−Ｙ線断面図である。図2 は同外装パネル１を表面側から見た正面図である。また、図３の(a) は外装パネル１の使用状態を示す拡大詳細水平断面図、(b) は拡大詳細垂直断面図で、(a) のＺ−Ｚ線に沿った断面図ある。
【００１８】
図１の(a) 〜(c) から分かるように、この外装パネル１は、窯業系材料により所要厚みの長方形板状に一体形成されたパネル本体２からなるもので、このパネル本体２の裏面側には、後述する壁下地への外装パネル１の取付時に壁下地との間に通気用空間部５を形成するための互いに連通する多数の凹溝３が縦横に形成されると共に、これらの凹溝３を除くパネル本体１の裏面側部分によって多数の胴縁部４がを形成されている。即ち、胴縁とは別個に製作される従来のサイディングボードに対し、この発明の外装パネル１のパネル本体２は、サイディングボードに胴縁を一体に形成したようなものである。各凹溝３は、断面Ｕ字状に形成されている。
【００１９】
パネル本体２の左右両長辺側端部には、パネル使用時に隣り合うパネル本体２，２同士を接合するための互いに係合可能な断面Ｌ字状の合じゃくり部６，７が形成されている。この合じゃくり部６，７は、図１の(a) 及び(b) に示すように、パネル本体２の表面側を向くように形成された表じゃくり部６と、パネル本体２の裏面側を向くように形成された裏じゃくり部７とから構成されている。
【００２０】
この外装パネル１は、上記のようにパネル本体２の全体が窯業系材料によって一体形成されたものであるが、具体的には、ガラス繊維強化セメント、軽量発泡コンクリートなどによってあるいはセラミックスを主成分とする材料によって形成される。セラミックスを主成分とする場合には、粘土、長石を主成分とし、これにガラス、セメント、無機骨材等を加えたものが使用できる。
【００２１】
また、この外装パネル１の寸法を参考までに例示すれば、パネル本体２の長辺の長さは例えば３０３０ｍｍ、短辺の長さは例えば９００ｍｍ、厚さは例えば２７ｍｍであって、このパネル本体２の裏面側に形成される凹溝３の深さは例えば１５ｍｍ、その溝幅は例えば３０ｍｍとされる。これらの寸法は、あくまでも一例であって、必要とする任意に寸法に設定することができる。
【００２２】
またパネル本体２の裏面側に形成される凹溝３は、この実施形態では断面Ｕ字状に形成されているが、その断面形状は、コ字状、三角形状、半円状等々任意の形状とすることができる。また凹溝３は、この実施形態では、パネル本体２の裏面全体にわたって、碁盤の罫線状に縦横に交差する形成されているが、これら縦横の凹溝３に斜めの凹溝を斜交させたような構成にしてもよいし、また縦の凹溝３のみ、あるいは横の凹溝３のみからなる構成としてもよい。この実施形態のように多数の凹溝３が縦横に交差するような構成とすれば、縦張り施工及び横張り施工の両方にそのまま使用することができる。また上記のように縦横に延びる多数の凹溝３によってそれらの間には矩形状の胴縁部４が多数形成され、更に縦横及び斜めに延びる多数の凹溝３によってそれらの間には三角形状の胴縁部４も形成されることになる。更にまた凹溝３は直線状に限らず、曲線状に形成してもよく、また縦横及び斜めの直線状凹溝３に曲線状凹溝３を加えることによってそれらの間に、円形、楕円形、半円形等の胴縁部４を形成することができる。
【００２３】
この外装パネル１は、後述するように使用の際にはパネル本体２の表面側から胴縁部４を通して構造用合板１０及び柱８又は間柱９に対し釘１５止めされることから、パネル本体２の表面には、その釘１５を誤って凹溝３に通すことのないように、パネル本体２の裏面側に形成されている凹溝３の位置をその表面側に表示するためのマークＭが形成されている。このマークＭは、図２に仮想線で示すように、パネル本体２の裏面に形成された凹溝３の形状をパネル本体２の表面にそのまま墨等によって表示される線からなるもので、このような表示線Ｍをパネル本体２表面に表示しておけば、凹溝３の位置が分かるから、釘１５を打つ位置を誤ることがない。
【００２４】
上記マークＭは、この実施形態では、凹溝３の形状を表示する線として例示したが、これに限るものではなく、凹溝３の位置を表示するものであれば、どのようなマークでもよい。
【００２５】
上記のような構成よりなる外装パネル１を建築物の外壁面に縦張りして外壁を施工する場合には、図３の(a) 及び(b) から分かるように、建物躯体を構成する柱８、間柱９及び土台１６にわたって、例えば板厚が９ｍｍのベニヤ板からなる構造用合板１０を釘等（図示せず）によって取り付け固定し、この構造用合板１０の室外側面に透湿防水シート１２を貼り付けることにより、外装パネル１用の壁下地を施工する。
【００２６】
こうして外装パネル１用の壁下地を施工した後、本発明に係る外装パネル１をその長辺が上下方向となるように立てた状態で、パネル本体２の裏面側に形成された胴縁部４を透湿防水シート１２の上に当て付け、パネル本体２の表面側から胴縁部４を介して構造用合板１０及び柱８又は間柱９に対し釘１５を打ち込んで、外装パネル１を固定すればよい。左右に隣り合う外装パネル１，１は、対向するパネル本体２，２の端部同士の合じゃくり部６，７を互いに係合させることによって接合する。そして、この後、パネル本体２の表面には所要の塗装を施す。
【００２７】
尚、合じゃくり部６，７の表じゃくり部６に予めシール材１９が塗布されているから、この表じゃくり部６と裏じゃくり部７とが係合することによって、パネル本体２の接合部は水密シールされる。また、外装パネル１を下地に釘打ちする際には、パネル本体２の表面側に形成されている凹溝３を表示するマークＭを避けた位置に打ち込むことによって、胴縁部４に正確に釘１５を打ち込むことができる。
【００２８】
上記のような外装パネル１を使用して形成した建物外壁によれば、図３の(a) 及び(b)
に示すように、外装パネル１の内側面であるパネル本体２の裏面側には、互いに連通する多数の凹溝３と、構造用合板１０の室外側面に貼着された透湿防水シート１２との間に、多数の通気用空間部５が形成されるから、パネル本体２の裏面と透湿防水シート１２との間に雨水等の水液が侵入しても、その水液は、これらの通気用空間部５に流れ込み、図３の(b) の矢印Ｑで示すように、これらの通気用空間部５に沿って流下して、パネル本体２の下端面に臨む通気用空間部５の下端開口部５ｏから速やかに室外に排出される。また、これら通気用空間部５内への外気の流入及びこれら通気用空間部５からの空気の流出が容易となって、パネル本体２の裏面側における通気性が極めて良好となる。従って、建物外壁の劣化を防止して、その耐久性を高めることができる。
【００２９】
そして特に、この外装パネル１を使用すれば、従来のサイディングボード用下地を形成する場合のように多数の胴縁をいちいち取り付ける必要がなく、パネル本体２をそのまま外装パネル用の下地に釘打ちすればよいから、胴縁の位置決め作業及びその釘打ち作業の手間が省け、外装パネル用下地の施工能率が大幅に向上する。
【００３０】
図１の(a) 〜(c) 、図２及び図３の(a) ，(b) に示す外装パネル１は、外装パネル用下地に取り付けた後、通常はパネル本体２の表面に適当な塗装を施して、そのまま使用されるが、このパネル本体２の表面に接着剤によりタイル張りをして使用される場合もある。このようにタイル張りされる外装パネル１の場合には、図４の(a) 〜(c) に示すように、パネル本体２の表面に、塗布される接着剤がパネル表面に有効に引っ掛かって剥離しないようにするめのタイル張り用接着剤掛止溝１８が多数形成される。
【００３１】
図４の(a) は表面にタイル張りされる外装パネル１のパネル本体２をその表面側から見た図２と同様な正面図であり、(b) は(a) のＶ−Ｖ線拡大断面図、(c) は(a) のＷ−Ｗ線拡大断面図である。上記タイル張り用接着剤掛止溝１８は、パネル本体２の裏面側に形成された凹溝３と重なり合わない位置に形成されるもので、各接着剤掛止溝１８は、図４の(b) 及び(c) に示されるように、底面部１８ａと斜壁面部１８ｂとからなる断面三角形に凹設されている。
【００３２】
上記のようにこのタイル張り用接着剤掛止溝１８がパネル本体２裏面側の凹溝３と重なり合わないような位置に形成されることにより、パネル本体２の厚さを特に厚くする必要がなく、この接着剤掛止溝１８の形成されない場合と同じ厚さにすることができ、これによって外装パネル１の重量増大とそのコスト高を抑えることができる。仮に、この接着剤掛止溝１８をパネル本体２裏面側の凹溝３と重なり合う位置に形成すると、接着剤掛止溝１８及び凹溝３の両溝によってパネル部分の厚みが局部的に薄くなって、パネル強度が低下するため、少なくとも溝１８の深さ（例えば３ｍｍ程度）だけパネル本体２を厚くする必要があり、そうすると外装パネル１の重量が増大すると共に、その製造コストが高くなる。
【００３３】
また、各タイル張り用接着剤掛止溝１８は、底面部１８ａと斜壁面部１８ｂとからなる断面三角形に形成されているから、パネル本体２表面への塗布時に接着剤が溝に入り込み易く、また接着剤が引っ掛かり易くて、一旦引っ掛かれば脱落し難くく、非常に有効である。また、この実施形態の接着剤掛止溝１８は、縦方向掛止溝１８と横方向掛止溝１８の２種類が並設されているから、この外装パネル１を縦張りに使用しても、横張りに使用しても、上記のような接着剤の引っ掛かり効果が同じように発揮される。
【００３４】
以上、本発明に係る外装パネル１を建築物の外壁面に縦張りして外壁を施工する場合について説明したが、この外装パネル１は、パネル本体２の長辺が水平方向となるように横向きにして張り付ける横張り施工にも、上記した縦張り施工と同じ要領でそのまま使用することができる。この点も、本発明に係る外装パネル１の大きな特徴である。
【００３５】
また、この実施形態では、外装パネル１を木造建物の外壁面に装着する場合について説明したが、本発明に係る外装パネル１は、鉄骨建物に対しても、上述の説明と同様にして適用可能である。
【図面の簡単な説明】
【００３６】
【図１】(a) は本発明に係る外装パネルを裏面側から見た正面図であり、(b) は(a)のＸ−Ｘ線断面図であり、(c) は(a) のＹ−Ｙ線断面図である。
【図２】同外装パネルを表面側から見た正面図である。
【図３】(a) は外装パネルの使用状態を示す拡大詳細水平断面図、(b) は拡大詳細垂直断面図で、(a) のＺ−Ｚ線に沿った断面図ある。
【図４】(a) は表面にタイル張りされる外装パネルのパネル本体をその表面側から見た図２と同様な正面図、(b) は(a) のＶ−Ｖ線拡大断面図、(c) は(a) のＷ−Ｗ線拡大断面図である。
【図５】従来の胴縁の使用による縦張りサイディング用下地を示す斜視図である。
【符号の説明】
【００３７】
１            外装パネル
２            パネル本体
３            凹溝
４            胴縁部
５            通気用空間部
６，７        合じゃくり部
６            表じゃくり部
７            裏じゃくり部
Ｍ            マーク
１８          タイル張り用接着剤掛止溝
【図１】
2005256381.tif 000003
【図２】
2005256381.tif 000004
【図３】
2005256381.tif 000005
【図４】
2005256381.tif 000006
【図５】
2005256381.tif 000007